(57)【要約】【課題】ラヂエーターの注水口から圧力をかける時に用いて、異種の注水口でも、注水口の探さと爪幅を変化させて複数に利用できるテスト用キャップの提供【解決手段】異径の注水口に合わせる為に、テストキャップの両方の爪を可動式にするとキャップを閉めこんだ時に不安定になる為、キャップ深さ調整ネジの中心を、移動爪と反対側にずらして、片側を固定した構造にして安定させた。キャップ本体の上に半円形のＡプレート、Ｂプレートを一対とした板を取り付ける。Ａプレートはキャップ本体に固定し、Ｂプレートは右片側をボルトで支え支点として動くようにする。Ｂプレートの中間にキャップの爪、左片側はＢバネ固定ピンとＡバネ固定ピンにバネを取り付けて引っ張り、注水口に発明したキャップをはめて時計方向に閉めこんだ場合に、注水口外径大きさに沿って爪が動きキャップが外れない。【選択図】図４
2006317137.tif 000002
【特許請求の範囲】
【請求項１】
本発明の特徴は、ラヂエーター圧力試験時に、ラヂエーター注水口の深さ及び爪幅の違うものでも、注水口の深さを上下に移動するネジで合わせられ、爪幅は爪を可動式にする事により変化させる事が出来るテスト用キャップである。
【請求項２】
注水口の接触部分のガスケットが痛んだ場合、既存の、ボトムプレート（８）、ガスケット（９）ベントバルブをセット交換できる構造とした。
【発明の詳細な説明】
【技術分野】
【０００１】この発明はラヂエーターの注水口から圧力をかける時に用いるテスト用キャップで、異種の注水口でも、注水口の深さと、爪幅を変化させて複数に利用できるテストキャップである。
【背景技術】
【０００２】従来、図１に示すように、ラヂエーターに圧力を注入するテスト用のキャップは注水口に合わせて深さだけを調整する物しかなかった為、爪幅の少し違う注水口にテストキャップはめると、爪が外れる為に交換する必要があった。
【発明の開示】
【発明が解決しようとする課題】
【０００３】キャップの爪幅を変化させて、複数の注水口に使用できるテスト用キャップが無かった。
【課題を解決するための手段】
【０００４】以上の課題を解決するために、第一発明は、図２に示すように両方の爪（８、９）を可動式にすると、キャップを回した時に不安定になるので、図３のように、キャップ深さ調整ネジの中心を移動爪と反対側にずらして取り付け片側（８）だけを可変できる構造にする。図４に示すように、キャップ本体の上に半円形のＡプレート（１７）、Ｂプレート（１８）を一対とした板を取り付ける。Ａプレートはキャップ本体に固定し、Ｂプレートは右片側をボルト（２２）で支え支点として動くようにする。Ｂプレートの中間にキャップの爪（８）を、左片側はＢバネ固定ピン（１５）とＡバネ固定ピン（１４）にバネ（１６）を取り付けて引っ張る。注水口に発明したキャップをはめて時計方向に回した場合に注水口外径の大きさに沿って爪が動きキャップが外れない。また、第二発明は図６に示すように、ボトムプレート（２３）、ガスケット（２４）ベントバルブ（２５）の一対を従来のキャップのものを利用できるように、ボトムプレート受け（２７）のサイズを同じにした。
【発明の効果】
【０００５】  第一発明、または第二発明、によれば、自動車整備工場において、注水口より加圧するテスト用キャップの種類の数が少なくでき、消耗品であるガスケット（２４）の交換が容易になる。
【発明を実施するための最良の形態】
【０００６】この発明の一実施形態を、図４に示す。キャップ本体（１）のに中心より移動爪（８）と反対方向に少しずらした位置にフランジ（３）の中心を設けてある。キャップ本体の上に固定したＡプレート（１７）、ボルトを支点として動くＢプレート（１８）の中間に移動爪を設け、Ｂバネ固定ピン（１５）とＡバネ固定ピン（１４）はバネにより接続される。移動爪（８）に探さ調整ネジ（４）を締めこんだ時に掛かる下方向の力が加わった場合Ｂプレート（１８）が外れないようにＢプレート張り出し部（２０）はＡプレート張り出し部（１９）の下に設ける。【０００７】「実施形態の効果」この実施形態によれば、本発明、新旧兼用ラヂエーターテスト用キャップを使用すれば最近の国産乗用車の多くのラジエーターのテストをする場合テストキャップがひとつで済み、作業の簡素化が計れる。注水口とテスト用キャップの当たり面のパッキンが傷んでも一般で出回っているキャップのパーツが使えるのでメンテナンスが容易である。【０００８】「他の実施形態」実施形態では、Ａバネ固定ピンとＢバネ固定ピンにあるバネは手で押さえ込みながらする事が出来るので、バネは無くても良い。移動爪の構造はＡプレート、Ｂプレートを使わずとも、固定式にし、注水口に合わせて爪を差し替えれば可動式にしなくても良い。構造を簡素化する為にボトムプレート受けに直接ゴムを貼り付けて、ボトムプレートを省略しても良い。空気を入れる構造はワンタッチ金具方法でも良い。ベントバルブは無くても良い。ハンドルはキャップを回せば締め付けられるので無くても良い。
【産業上の利用可能性】
【０００９】本発明は、ラヂエーターをテストする場合の他に、注水口から水を注入する場合に利用可能で、真空引きの機器のアダプターにも利用できて、産業上の利用の可能性を有する。
【図面の簡単な説明】
【００１０】
【図１】従来技術を示す斜視図である。
【図２】発案技術を説明する断面図である
【図３】本発明の発案技術を説明する断面図である
【図４】本発明の実施形態を示す斜視図である。
【図５】本発明の側面図である。
【図６】本発明の断面図である。
【図７】本発明の上面図である。
【図８】本発明の下面図である。
【符号の説明】
【００１１】１    キャップ本体                              ２    空気入り口（ゴム管受け）３    フランジ                                  ４    ネジ５    ゴム板受け                                ６    ゴム板７    爪                                        ８    右爪９    左爪                                      １０  注水口（キャップ受け）１１  右爪移動幅                                １２  左爪移動幅１３  片側爪移動幅                              １４  Ａプレートバネ固定ピン１５  Ｂプレートバネ固定ピン                    １６  バネ１７  Ａプレート                                １８  Ｂプレート１９  Ａプレート出っ張り部                      ２０  Ｂプレート出っ張り部２１  移動爪取り付けボルト                      ２２  右支点ボルト２３  ボトムプレート                            ２４  ガスケット２５  ベントバルブ                              ２６  移動爪取り付けボルト２７  ボトムプレート受け                        ２８  機密ゴム板２９  ハンドル
【図１】
2006317137.tif 000003
【図２】
2006317137.tif 000004
【図３】
2006317137.tif 000005
【図４】
2006317137.tif 000006
【図５】
2006317137.tif 000007
【図６】
2006317137.tif 000008
【図７】
2006317137.tif 000009
【図８】
2006317137.tif 000010